(57)【特許請求の範囲】
【請求項１】
床開口部からの転落を防止するための床開口部の転落防止装置であって、
上記床開口部に沿って設けられたガイドレールと、上記ガイドレールに案内される複数の支持バーと、上記支持バーを上記ガイドレールに固定し得るロック機構と、上記複数の支持バーに張られる網体とを備え、
上記網体が、柔軟性を有して、上記ロック機構により上記支持バーが固定された状態で上記床開口部を覆うものであり、
上記複数の支持バーが、縦長の横断面を有し、
上記ロック機構が、上記ガイドレールに固定された支持バーの回転により、上記固定の解除を行うものであることを特徴とする床開口部の転落防止装置。
【請求項２】
上記ガイドレールが、２本で且つ平行に配置されたものであり、
上記ガイドレールが、上記支持バーを案内する案内部と、この案内部が無い部分である遊挿部とを有し、
上記２本のガイドレールで、上記遊挿部の長さが異なることを特徴とする請求項１に記載の床開口部の転落防止装置。
【請求項３】
上記支持バーが、上記２本のガイドレールにより少なくとも４点で支持されるものであることを特徴とする請求項２に記載の床開口部の転落防止装置。
【請求項４】
上記網体が、強紐および弱紐からなり、上記支持バーに取り付けられるラインが当該強紐で構成されることを特徴とする請求項１乃至３のいずれか一項に記載の床開口部の転落防止装置。
【発明の詳細な説明】
【技術分野】
【０００１】
本発明は、床開口部の転落防止装置に関するものである。
【背景技術】
【０００２】
家屋には、その床板の下方に、食料貯蔵用などの収納室を設けた造りがよく見受けられる。このような収納室は、上記床板を切り抜いて形成された開口部（以下では単に床開口部という）と連通しており、この床開口部が出入口となる。上記切り抜かれた床板は、上記床開口部の蓋にされる。
【０００３】
上記床開口部には、上記床板の蓋が開の場合には、上記収納室を覗き込もうとした幼児が誤って上記床開口部に転落するかもしれない。このような転落を防止するための網状物を、転落防止装置として床開口部に配置する構成が提案されている（例えば、特許文献１参照）。
【０００４】
しかしながら、上記網状物だと、強度が十分ではなく、勢いよく転落した幼児を支え切ることができない。これに対して、上記網状物の代わりに、アコーディオン状に折り畳み可能な蛇腹蓋を採用する構成が提案されている（例えば、特許文献２参照）。この蛇腹蓋は、床開口部に沿って移動自在に配置された複数の支持棒と、各支持棒に設けられた面状板とから構成される。そして、床開口部は、上記床板の蓋だけでなく、上記蛇腹蓋によっても開閉される。
【先行技術文献】
【特許文献】
【０００５】
【特許文献１】実開昭６１−３７３４７号公報
【特許文献２】実公平１−３３７２７号公報
【発明の概要】
【発明が解決しようとする課題】
【０００６】
ところで、上記特許文献２に記載の構成では、上記蛇腹蓋により床開口部を閉にすれば、蛇腹蓋で床開口部が完全に覆われるので、床開口部の上方から収納室の内部を見ることができない。
【０００７】
また、上記蛇腹蓋は、上記特許文献１に記載の網状物よりも強度を有するが、荷重を主として円筒状の上記支持棒で受ける構造なので、依然として強度が十分ではない。強度が十分でなければ、幼児が上記蛇腹蓋に勢いよく落下した場合、当該蛇腹蓋は破損して転落防止装置の用をなさなくなる。ここで、強度を十分にするために、支持棒の径を大きくすることが考えられるが、こうすれば、床開口部における支持棒の面積割合も大きくなるので、収納室の内部を十分に見ることができなくなる。
【０００８】
さらに、上記蛇腹蓋は、床開口部を閉の状態にする固定がマグネットの磁力により行われる。このため、上記固定の力が非常に弱いので、上記蛇腹蓋に転落した幼児から受ける荷重の大きさおよび方向によっては、上記固定が解除されることになる。このように、上記固定の解除が容易に行われると、上記蛇腹蓋は転落防止装置の用をなさなくなる。
【０００９】
したがって、上記特許文献２に記載の構成では、収納室の内部を十分に見ることができないだけでなく、転落防止装置の用をなさない危険性がある。
そこで、本発明は、収納室の内部を十分に見ることができるとともに、安全性を向上させることができる床開口部の転落防止装置を提供することを目的とする。
【課題を解決するための手段】
【００１０】
上記課題を解決するため、本発明の請求項１に係る床開口部の転落防止装置は、床開口部からの転落を防止するための床開口部の転落防止装置であって、
上記床開口部に沿って設けられたガイドレールと、上記ガイドレールに案内される複数の支持バーと、上記支持バーを上記ガイドレールに固定し得るロック機構と、上記複数の支持バーに張られる網体とを備え、
上記網体が、柔軟性を有して、上記ロック機構により上記支持バーが固定された状態で上記床開口部を覆うものであり、
上記複数の支持バーが、縦長の横断面を有し、
上記ロック機構が、上記ガイドレールに固定された支持バーの回転により、上記固定の解除を行うものである。
【００１１】
また、本発明の請求項２に係る床開口部の転落防止装置は、請求項１に記載の床開口部の転落防止装置において、上記ガイドレールが、２本で且つ平行に配置されたものであり、
上記ガイドレールが、上記支持バーを案内する案内部と、この案内部が無い部分である遊挿部とを有し、
上記２本のガイドレールで、上記遊挿部の長さが異なるものである。
【００１２】
さらに、本発明の請求項３に係る床開口部の転落防止装置は、請求項２に記載の床開口部の転落防止装置における上記支持バーが、上記２本のガイドレールにより少なくとも４点で支持されるものである。
【００１３】
加えて、本発明の請求項４に係る床開口部の転落防止装置は、請求項１乃至３のいずれか一項に記載の床開口部の転落防止装置における上記網体が、強紐および弱紐からなり、上記支持バーに取り付けられるラインが当該強紐で構成されるものである。
【発明の効果】
【００１４】
上記床開口部の転落防止装置によると、収納室の内部を十分に見ることができるとともに、安全性を向上させることができる。
【図面の簡単な説明】
【００１５】
【図１】本発明の実施の形態に係る床開口部の転落防止装置を使用していない状態での概略斜視図である。
【図２】同床開口部の転落防止装置を使用している状態での概略斜視図である。
【図３】同床開口部の転落防止装置を使用している状態での平面図である。
【図４】同床開口部の転落防止装置における一方のガイドレールのヒンジ側を示す拡大断面図である。
【図５】図４のＡ−Ａ断面図である。
【図６】同ガイドレールの梯子側を示す拡大断面図であり、同ガイドレールに移動式支持バーが固定される前の状態を示す。
【図７】同ガイドレールの梯子側を示す拡大断面図であり、同固定を行う経過を示す。
【図８】同ガイドレールの梯子側を示す拡大断面図であり、同固定を行った状態を示す。
【図９】同床開口部の転落防止装置における両ガイドレールのヒンジ側を示す拡大平面図である。
【発明を実施するための形態】
【００１６】
以下、本発明の実施の形態に係る床開口部の転落防止装置について図面に基づき説明する。
まず、上記床開口部およびその周辺部分について簡単に説明する。
【００１７】
図１に示すように、上記床開口部１０は、家屋の床板Ｆを矩形に切り抜いて形成されて、当該床板Ｆの下方に設けられた収納室Ｒの出入口となるものである。上記床開口部１０は、上記切り抜かれた床板Ｆと同様に矩形であり、一方の短辺部に上記収納室Ｒへの梯子Ｌが設けられる。上記切り抜かれた床板Ｆは、上記床開口部１０における片開き式の蓋Ｃにされる。すなわち、この床板の蓋Ｃと上記床開口部１０とは、他方の短辺部に設けられるヒンジＨで接続される。上記床板の蓋Ｃは、他の床板Ｆと面一にされるので、上記床開口部１０の上部で当該床開口部１０を開閉するものである。上記床開口部１０の長辺部に、上記床板の蓋Ｃを支え得る安全棒Ｓが設けられる。この安全棒Ｓは、その一端側が上記長辺部に対して回転自在にされることにより、上記床開口部１０が開の場合には上記床板の蓋Ｃを支えるとともに、上記床開口部１０が閉の場合には当該床開口部１０の内側に収容されるものである。上記床開口部１０が開の場合には、上記収納室Ｒを覗き込もうとした幼児が誤って上記床開口部１０に転落するかもしれない。このような転落を防止するために、上記床開口部１０の下部に転落防止装置１が設けられる。図１には床開口部１０の転落防止装置１が使用されていない状態を示し、図２および図３には床開口部１０の転落防止装置１が使用されている状態を示す。なお、以下では、上記床開口部１０の短辺部において、上記梯子Ｌが設けられた側を単に「梯子Ｌ側」といい、上記ヒンジＨが設けられた側を単に「ヒンジＨ側」という。
【００１８】
以下、本発明の要旨である床開口部１０の転落防止装置１について詳細に説明する。
上記床開口部１０の転落防止装置１は、図１〜３に示すように、上記床開口部１０の両長辺部にそれぞれ設けられたガイドレール２と、これらガイドレール２に両端部が案内される５本（複数であればよい）の支持バー３と、これら５本の支持バー３に張られた安全ネット４とを備える。
【００１９】
上記ガイドレール２は、図４および図５に示すように、天板部２１と、上記支持バー３の両端部（摺動体３７であり詳しくは後述する）を上記床開口部１０の長辺方向に沿って案内する案内部２２と、支持バー３が載置される支持部２６とを有する。この案内部２２は、上記摺動体３７の上端に沿う上案内部２３と、上記摺動体３７の下端に沿う下案内部２４とからなる。上記ガイドレール２の梯子Ｌ側近傍には、図１および図６〜図８に示すように、最も梯子Ｌ側の支持バー３を固定するロック機構５が設けられる。
【００２０】
上記５本の支持バー３は、図３に示すように、ヒンジＨ側から梯子Ｌ側にかけて略平行に配置される。これら５本の支持バー３は、図４に示すように、最もヒンジＨ側の固定式支持バー３１と、それ以外（つまり他の４本）の移動式支持バー３２とからなる。上記固定式支持バー３１は、支持材３３からなり、床開口部１０のヒンジＨ側にタッピンねじ３ｔなどで固定される。上記移動式支持バー３２は、支持材３３および摺動体３７からなり、上記案内部２２に沿ってヒンジＨ側から梯子Ｌ側まで移動自在にされる。上記支持材３３は、両ガイドレール２に渡された円筒状の補強パイプ３４と、この補強パイプ３４を内側に配置した長円パイプ３５とを具備する。上記長円パイプ３５は、その横断面における長手方向が鉛直方向になるように、つまり横断面が縦長になるように配置される。上記摺動体３７は、２つ（ヒンジＨ側および梯子Ｌ側）の円柱部３８と、これら２つの円柱部３８を接続する接続部３９とを具備する。上記２つの円柱部３８は、それらの両軸心が鉛直方向に且つ平行になるように配置される。上記接続部３９は、上記補強パイプ３４の先端にも接続される。
【００２１】
ここで、上記移動式支持バー３２は、図５に示すように、上記２つの円柱部３８が下案内部２４で支持されるとともに、上記補強パイプ３４が支持部２６で支持される。このため、上記移動式支持バー３２は、片端側で２点（下案内部２４および支持部２６）、両端側なら４点で支持される。
【００２２】
上記安全ネット４は、柔軟性を有する網体であり、図３に示すように、太紐（強紐の一例である）４１および細紐（弱紐の一例である）４２からなる。また、上記安全ネット４は、その外周のラインと支持バー３に取り付けられるラインとが太紐４１で構成されるとともに、これら以外のラインが細紐４２で構成される。
【００２３】
上記ロック機構５は、例えば、図６〜図８に示すように、上記ガイドレール２における梯子Ｌ側近傍の下案内部２４に取り付けられたロック用板ばね５である。このロック用板ばね５は、その主要部が、一枚の金属片を５箇所で折り曲げることにより形成されたものである。このため、上記ロック用板ばね５は、その主要部が、６つの部分（後述するが、底部５０、第一段部５１〜第四段部５４、折返部５５）に分けられる。具体的に説明すると、上記ロック用板ばね５は、下方から順に、上記下案内部２４にねじなどで取り付けられる底部５０と、この底部５０から折り返して連続する低傾斜の第一段部５１と、この第一段部５１から連続する高傾斜の第二段部５２と、この第二段部５２から連続する略水平の第三段部５３と、この第三段部５３から連続する中傾斜の第四段部５４と、この第四段部５４から折り返して連続する逆傾斜の折返部５５とを具備する。
【００２４】
図６には、上記ロック用板ばね５が最も梯子Ｌ側の移動式支持バー３２をガイドレール２に固定する前の状態について示し、図７には、上記固定を行う経過について示し、図８には、上記固定を行った状態について示す。上記固定の解除を行う観点からだと、図８には、上記固定を解除する前の状態について示し、図７には、上記解除を行う経過について示し、図６には、上記解除を行った状態について示す。
【００２５】
図６に示す上記摺動体３７を梯子Ｌ側に移動させると、梯子Ｌ側の円柱部３８が第一段部５１に乗り上げる。この乗り上げは、第一段部５１が低傾斜であるから、容易に行われる。続いて、上記摺動体３７をさらに梯子Ｌ側に移動させると、図７に示すように、上記円柱部３８が第二段部５２に乗り上げる。この乗り上げは、第二段部５２が高傾斜であるものの第一段部５１での乗り上げの助走を利用するので、容易に行われる。続いて、上記摺動体３７をさらに梯子Ｌ側に移動させると、図８に示すように、上記円柱部３８が第三段部５３および第四段部５４に乗り上げて、上記固定が行われる。この固定が行われた状態では、上記ロック用板ばね５が、主として第一段部５１の復元力により、上記摺動体３７をガイドレール２に挟み込んでいる。具体的に説明すると、図８に示すように、上記固定が行われた状態では、上記摺動体３７が、ガイドレール２からは天板部２１および上案内部２３の梯子Ｌ側端部により、ロック用板ばね５からは第三段部５３および第四段部５４により、挟み込まれている。このように挟み込まれた摺動体３７において、上記天板部２１との接触箇所は梯子Ｌ側の円柱部３８であり、上記上案内部２３の梯子Ｌ側端部との接触箇所は接続部３９であり、上記第三段部５３および第四段部５４との接触箇所は梯子Ｌ側の円柱部３８である。このため、最も梯子Ｌ側の移動式支持バー３２は、上記ロック用板ばね５によりガイドレール２に固定されると、上記長円パイプ３５の横断面における長手方向が傾斜した状態になる。すなわち、上記ロック用板ばね５は、上記移動式支持バー３２を上記ガイドレール２に固定する際に回転させるものである。上記固定を解除するには、上記回転の逆方向に上記移動式支持バー３２を回転させながら、上記固定のための動作とは逆の動作、すなわち、上記摺動体３７をヒンジＨ側に移動させる。
【００２６】
上記両ガイドレール２は、上案内部２３のヒンジＨ側端部の位置を除いて、対称の形状となる。すなわち、図９に示すように、一方のガイドレール２では上案内部２３のヒンジＨ側端部がヒンジＨから近く、他方のガイドレール２では上案内部２３のヒンジＨ側端部がヒンジＨから遠い。言い換えれば、ガイドレール２において上案内部２３が無い部分を遊挿部２５と定義すると、一方のガイドレール２ではヒンジＨ側からの遊挿部２５が短く、他方のガイドレール２ではヒンジＨ側からの遊挿部２５が長い。このため、図９に示すように、一方のガイドレール２における短い遊挿部２５に移動式支持バー３２の一端部（つまり摺動体３７）を挿入してから、この一端部近くを鉛直軸３６にして当該移動式支持バー３２を回転させながら、他方のガイドレール２における長い遊挿部２５に当該移動式支持バー３２の他端部（つまり他の摺動体３７）を挿入することが可能となる。
【００２７】
以下、上記床開口部１０の転落防止装置１における設置方法および使用方法について説明する。
まず、図９に示すように、まず、最も梯子Ｌ側の移動式支持バー３２の一端部を一方のガイドレール２における短い遊挿部２５に挿入する。そして、この一端部の近くを鉛直軸３６にして当該移動式支持バー３２を回転させながら、当該支持バー３の他端部を他方のガイドレール２における長い遊挿部２５に挿入する。こうして、最も梯子Ｌ側の移動式支持バー３２を両ガイドレール２に配置する。同様にして、他の移動式支持バー３２および固定式支持バー３１も続いて両ガイドレール２に配置する。その後、固定式支持バー３１を、図４に示すように、床開口部１０のヒンジＨ側にタッピンねじ３ｔなどで固定する。これにより、上記床開口部１０の転落防止装置１における設置が完了する。
【００２８】
上記床開口部１０の転落防止装置１を使用しない場合には、移動式支持バー３２をヒンジＨ側に移動させる。こうして、移動式支持バー３２をヒンジＨ側に寄せておくことにより、収納室Ｒへの出入りが移動式支持バー３２および安全ネット４に妨げられなくなる。
【００２９】
上記床開口部１０の転落防止装置１を使用する場合には、移動式支持バー３２を梯子Ｌ側に移動させる。そして、最も梯子Ｌ側の移動式支持バー３２をロック機構５（ロック用板ばね５）によりガイドレール２に固定する。具体的には、図６に示すように、上記移動式支持バー３２の摺動体３７がロック用板ばね５に隣接するまで上記移動式支持バー３２を移動させた後、図７および図８に示すように、梯子Ｌ側の円柱部３８を第一段部５１〜第四段部５４まで順に乗り上げさせる。梯子Ｌ側の円柱部３８が第三段部５３および第四段部５４に乗り上げると、摺動体３７は、主として第一段部５１の復元力により、梯子Ｌ側の円柱部３８が第三段部５３および第四段部５４から押し上げられて、梯子Ｌ側の円柱部３８および接続部３９がそれぞれ天板部２１および上案内部２３の梯子Ｌ側端部に接触する。すなわち、摺動体３７は、ガイドレール２およびロック用板ばね５により挟み込まれる。こうして、図２および図３に示すように、床開口部１０の下部が支持バー３および安全ネット４で覆われて、幼児の転落が防止される。
【００３０】
このように、上記床開口部１０の転落防止装置１によると、床開口部１０が主として安全ネット４で覆われるので、収納室Ｒの内部を見ることができる。また、床開口部１０の一部を覆う支持バー３の横断面が縦長なので、収納室Ｒの内部を十分に見ることができるとともに、十分な強度を有することにより安全性を向上させることができる。
【００３１】
さらに、ロック用板ばね５により、移動式支持バー３２のガイドレール２への固定を解除するには、当該移動式支持バー３２を回転させる必要があるので、上記解除が容易に行われず、安全性を向上させることができる。
【００３２】
加えて、支持バー３に取り付けられる安全ネット４のライン、つまり安全ネット４において最も大きな荷重を受けるラインが太紐４１から構成されるので、十分な強度を有することにより安全性を向上させることができる。
【００３３】
また、両ガイドレール２でヒンジＨ側からの遊挿部２５の長さが異なるので、支持バー３の配置を容易にすることができる。
また、上記移動式支持バー３２の両端側が４点で支持されるので、十分な強度を有することにより安全性を向上させることができる。
【００３４】
ところで、上記実施の形態では、上記支持バー３の支持材３３は、補強パイプ３４と長円パイプ３５とを具備するとして説明したが、これに限定されるものではなく、断面二次モーメントが大きくなる形状、つまり横断面が縦長であればよい。
【００３５】
また、上記実施の形態では、強紐の一例として太紐４１、弱紐の一例として細紐４２として説明したが、これに限定されるものではなく、強紐が弱紐よりも高強度のものであればよい。
【００３６】
さらに、上記実施の形態では、上記移動式支持バー３２の両端側が４点で支持されるとして説明したが、５点以上で支持されてもよい。
【符号の説明】
【００３７】
Ｌ  梯子
Ｈ  ヒンジ
１  転落防止装置
２  ガイドレール
３  支持バー
４  安全ネット
５  ロック機構（ロック用板ばね）
１０  床開口部
２１  天板部
２２  案内部
２３  上案内部
２５  遊挿部
２６  支持部
３１  固定式支持バー
３２  移動式支持バー
３４  補強パイプ
３５  長円パイプ
３７  摺動体
３８  円柱部
３９  接続部
４１  太紐
４２  細紐
５０  底部
５１  第一段部
５２  第二段部
５３  第三段部
５４  第四段部
５５  折返部
【図１】
0006376897.tif 000002
【図２】
0006376897.tif 000003
【図３】
0006376897.tif 000004
【図４】
0006376897.tif 000005
【図５】
0006376897.tif 000006
【図６】
0006376897.tif 000007
【図７】
0006376897.tif 000008
【図８】
0006376897.tif 000009
【図９】
0006376897.tif 000010